(57)【要約】【課題】室内機を取り付けるために浮き壁を設ける必要がなく、部屋の有効面積が減ってしまうことも無い。【解決手段】略水平に延設されると共に建物Ｂの天井Ｃに着脱可能に取り付けられるように構成された水平部２と、該水平部２から下方に垂下されると共に室内機ＡＣを支持する垂下部３と、によってエアコン支持具１を構成し、前記室内機ＡＣを前記天井Ｃから吊り下げた状態で支持するように構成する。本発明によれば、浮き壁（つまり、戸境壁に対して離間した状態に配置した壁）を室内機取り付けのためだけに設ける必要がなく、部屋の有効面積が減ってしまうことも無い。また、浮き壁を設けるための工事が不要となって、その分の手間が減り、建設費も抑えることができる。【選択図】図１
2017096547.tif 000002
【特許請求の範囲】
【請求項１】
エアコンの室内機を室内にて支持するように構成されたエアコン支持具において、
略水平に延設されると共に建物の天井に着脱可能に取り付けられるように構成された水平部と、
該水平部から下方に垂下されると共に前記室内機を支持する垂下部と、
を備え、
前記室内機を前記天井から吊り下げた状態で支持するように構成された、
ことを特徴とするエアコン支持具。
【請求項２】
前記天井と前記水平部との間には防振部材が介装されてなる、
ことを特徴とする請求項１に記載のエアコン支持具。
【請求項３】
前記水平部及び／又は前記垂下部の少なくとも一部は上下に移動可能に構成されていて、該垂下部に支持された前記室内機を上下に移動できるように構成された、
ことを特徴とする請求項１又は２に記載のエアコン支持具。
【請求項４】
前記水平部は、前記天井の側から下方に突出された天井側突起部が挿通された状態で係止される支持具側長孔部を有し、
該支持具側長孔部における前記天井側突起部の挿通位置を該支持具側長孔部に沿って変更することにより前記室内機の向きを調整できるように構成された、
ことを特徴とする請求項１乃至３のいずれか１項に記載のエアコン支持具。
【請求項５】
前記水平部は、前記天井の側に配置された天井側長孔部に挿通された状態で係止されるように該天井の側に突出される支持具側突起部を有し、
前記天井側長孔部における前記支持具側突起部の挿通位置を該天井側長孔部に沿って変更することにより前記室内機の向きを調整できるように構成された、
ことを特徴とする請求項１乃至３のいずれか１項に記載のエアコン支持具。
【発明の詳細な説明】
【技術分野】
【０００１】
本発明は、エアコンの室内機を室内にて支持するように構成されたエアコン支持具に関する。
【背景技術】
【０００２】
従来、集合住宅においてエアコンの室内機（以下、単に“室内機”とする）は、ベランダと部屋とを仕切る壁部分（つまり、ベランダと部屋との間に配置された窓開口の上方の壁部分）に取り付けられていることが多かった（例えば、特許文献１参照）。
【０００３】
しかし、近年は、部屋からの眺望を確保して開放感を向上させるために窓開口の高さ寸法が大きく取られる傾向にあり、そのような場合には該窓開口の上方の壁部分の面積（高さ寸法）は小さくなってしまい、前記室内機を取り付けるだけの十分な面積を確保できなくなってしまうこととなる。
【０００４】
そこで、ベランダと部屋とを仕切る壁部分にではなく戸境壁（図５の符号Ｗ１参照）に前記室内機（同図の符号ＡＣ参照）を取り付ける構造が提案されている（例えば、特許文献２参照）。しかしながら、そのような場合には、エアコンＡＣの振動が隣の住戸に伝わらないようにする必要があることから、図５に符号Ｗ２で示すような浮き壁を前記戸境壁Ｗ１から所定距離隔てた状態で配置し、前記エアコンＡＣは前記戸境壁Ｗ１ではなく該浮き壁Ｗ２に取り付ける必要があった。
【先行技術文献】
【特許文献】
【０００５】
【特許文献１】特開２０００−９３６５号公報
【特許文献２】特開平５−１８７１３７号公報
【発明の概要】
【発明が解決しようとする課題】
【０００６】
しかしながら、図５に例示するような浮き壁Ｗ２を設けると、その分、部屋の有効面積が減ってしまうという問題があった。また、該浮き壁Ｗ２を設けるための工事が必要となって手間が掛かると共に、建設費も増加してしまうという問題があった。
【０００７】
本発明は、上述の問題を解消することのできるエアコン支持具を提供することを目的とするものである。
【課題を解決するための手段】
【０００８】
本発明の第１の観点は、図１（ａ）（ｂ）及び図３（ａ）（ｂ）に例示するものであって、エアコンの室内機（ＡＣ）を室内にて支持するように構成されたエアコン支持具（１）において、
略水平に延設されると共に建物（Ｂ）の天井（Ｃ）に着脱可能に取り付けられるように構成された水平部（２）と、
該水平部（２）から下方に垂下されると共に前記室内機（ＡＣ）を支持する垂下部（３）と、
を備え、
前記室内機（ＡＣ）を前記天井（Ｃ）から吊り下げた状態で支持するように構成されたことを特徴とする。
【０００９】
本発明の第２の観点は、前記天井（Ｃ）と前記水平部（２）との間には防振部材（４）が介装されてなることを特徴とする。
【００１０】
本発明の第３の観点は、図２（ａ）（ｂ）に詳示するように、前記水平部（図２（ａ）（ｂ）においては不図示）及び／又は前記垂下部（１３）の少なくとも一部は上下に移動可能に構成されていて、該垂下部（１３）に支持された前記室内機（ＡＣ）を上下に移動できるように構成されたことを特徴とする。
【００１１】
本発明の第４の観点は、図３（ａ）（ｂ）に詳示するように、前記水平部（２）は、前記天井（Ｃ）の側から下方に突出された天井側突起部（５，…）が挿通された状態で係止される支持具側長孔部（２ａ，…）を有し、
該支持具側長孔部（２ａ，…）における前記天井側突起部（５，…）の挿通位置を該支持具側長孔部（２ａ，…）に沿って変更することにより前記室内機（ＡＣ）の向きを調整できるように構成されたことを特徴とする。
【００１２】
本発明の第５の観点は、図４に詳示するように、前記水平部（２２）は、前記天井（Ｃ）の側に配置された天井側長孔部（２６ａ，…）に挿通された状態で係止されるように該天井（Ｃ）の側に突出される支持具側突起部（２５，…）を有し、
前記天井側長孔部（２６ａ，…）における前記支持具側突起部（２５，…）の挿通位置を該天井側長孔部（２６ａ，…）に沿って変更することにより前記室内機（ＡＣ）の向きを調整できるように構成されたことを特徴とする。
【００１３】
なお、括弧内の番号などは、図面における対応する要素を示す便宜的なものであり、従って、本記述は図面上の記載に限定拘束されるものではない。
【発明の効果】
【００１４】
上記した第１の観点によれば、室内機を取り付けるために浮き壁を設ける必要がなく、部屋の有効面積が減ってしまうことも無い。また、浮き壁を設けるための工事が不要となって、その分の手間が減り、建設費も抑えることができる。
【００１５】
上記した第２の観点によれば、前記室内機から前記天井への振動の伝達を軽減することができる。
【００１６】
上記した第３の観点によれば、前記室内機の掃除やメンテナンスをする際には該室内機を下に降ろすことができ、掃除やメンテナンスの作業をし易くすることができる。
【００１７】
上記した第４及び第５の観点によれば、前記室内機の向き（水平方向の向き）を調整することができ、室内の空調を効果的に行うことができる。
【図面の簡単な説明】
【００１８】
【図１】図１（ａ）は、本発明に係るエアコン支持具の形状及び使用状態の一例を示す断面図であり、同図（ｂ）は、その拡大断面図である。
【図２】図２（ａ）（ｂ）は、室内機を上下動させる構造及び動作の一例を示す斜視図である。
【図３】図３（ａ）は、本発明に係るエアコン支持具の形状の一例を示す平面図であり、同図（ｂ）は、その一部を示す斜視図である。
【図４】図４は、本発明に係るエアコン支持具の形状の他の例を示す斜視図である。
【図５】図５は、従来のエアコンの室内機の取り付け状態の一例を示す断面図である。
【図６】図６（ａ）（ｂ）は、エアコンの支持態様の一例を示す断面図である。
【発明を実施するための形態】
【００１９】
以下、図１乃至図４に沿って、本発明の実施の形態について説明する。
【００２０】
本発明に係るエアコン支持具は、図１（ａ）（ｂ）に符号１で例示するものであって、エアコンの室内機ＡＣを室内にて支持するように構成されたものである。該エアコン支持具１は、
・  建物Ｂの天井面Ｃａに沿うように略水平に延設されると共に該建物Ｂの天井Ｃに着脱可能に取り付けられるように構成された部分（以下、“水平部”とする）２と、
・  該水平部２から下方に垂下される部分（以下、“垂下部”とする）３と、
を備えている。そして、該垂下部３には、前記室内機ＡＣを着脱可能に支持する支持部（例えば、室内機取り付け用のボルトを挿通するためのボルト孔や、室内機を着脱可能に係止するスリット部など）が形成されていて、該室内機ＡＣを前記天井Ｃから吊り下げた状態で支持するように構成されている。なお、図１（ａ）（ｂ）では、前記水平部２と前記垂下部３とは、断面が略Ｔ字状を為すように配置されているが、もちろんこれに限られるものではなく、断面が略Ｌ字状を為すように配置するようにしても良く、その他の形状を為すように配置しても良い。
【００２１】
本発明によれば、室内機ＡＣを取り付けるために浮き壁（図５の符号Ｗ２参照）を設ける必要がなく、部屋の有効面積が減ってしまうことも無い。また、浮き壁を設けるための工事が不要となって、その分の手間が減り、建設費も抑えることができる。
【００２２】
この場合、前記天井Ｃと前記水平部２との間や、前記垂下部３と前記室内機ＡＣとの間には防振ゴム等の防振部材４を介装しておくと良い。また、図６（ａ）に例示するように、垂下部３３を壁部材Ｗ３に接触させずに両者の間に隙間Ｓを設けたり、図６（ｂ）に例示するように、該垂下部３３と該壁部材Ｗ３との間に防振部材３４を介装したりしても良い。そのようにした場合には、前記室内機ＡＣから前記天井Ｃへの振動の伝達を軽減することができる。
【００２３】
一方、前記水平部及び／又は前記垂下部の少なくとも一部を上下に移動可能に構成して、該垂下部に支持された前記室内機ＡＣを上下に移動できるように構成すると良い。そのようにした場合には、前記室内機ＡＣの掃除やメンテナンスをする際には該室内機ＡＣを下に降ろすことができ、掃除やメンテナンスの作業をし易くすることができる。なお、該室内機ＡＣを下げるストロークは１〜２ｍ程度が好ましいが、例えば３０ｃｍや１０ｃｍ程度であっても天井Ｃと該室内機ＡＣとの間のスペースを広げることができ、掃除やメンテナンスはかなりやりやすくなる。また、このように室内機ＡＣを上下に移動するような構成にする場合には、冷媒を流す配管にはフレキシブルな管を用いるようにすると良い。さらに、具体的な構造としては、図２（ａ）（ｂ）に示すものを挙げることができる。すなわち、前記垂下部（同図においては符号１３参照）を、
・  前記水平部（同図においては不図示）に固定されて該水平部から垂下される部分（以下、“固定垂下部”とする）１３０と、
・  上下に移動できるように該固定垂下部１３０に移動自在に支持された部分（以下、“移動垂下部”とする）１３１と、
により構成して、前記室内機ＡＣは該移動垂下部１３１の方に取り付けるように構成すると良い。
【００２４】
ところで、図１（ｂ）及び図３（ａ）（ｂ）に例示するように、前記天井Ｃの側からは突起部（以下、“天井側突起部”とする）５，…を下方に突出させておき、前記支持具１の前記水平部２には複数の長孔部（以下、“支持具側長孔部”とする）２ａ，…を形成しておいて該天井側突起部５，…が該支持具側長孔部２ａ，…に挿通された状態で係止されるようにしておいて、該支持具側長孔部２ａ，…における前記天井側突起部５，…の挿通位置を該支持具側長孔部２ａ，…に沿って変更できるようにしておくと良い。そのようにした場合には、該支持具側長孔部２ａ，…における前記天井側突起部５，…の挿通位置を変更することにより前記室内機ＡＣの向き（水平方向の向き）を調整することができ、室内の空調を効果的に行うことができる。この場合、前記天井側突起部５，…にはボルト等を用いると良い。また、前記支持具側長孔部２ａ，…は、図３（ａ）に詳示するように円弧状に複数形成しておくと良い。さらに、図１（ｂ）及び図３（ｂ）に符号６で示すような板状部材を天井面Ｃａにビス７，…等で固定しておいて、前記天井側突起部５，…は該板状部材６から垂下させるようにしておくと良い。
【００２５】
なお、長孔部を前記支持具１の側にではなく天井Ｃの側に配置し、突起部を前記天井Ｃの側にではなく前記支持具１の側に形成するようにしても良い。すなわち、図４に例示するように、前記水平部２２には、前記天井Ｃの側に突出される突起部（以下、“支持具側突起部”とする）２５，…を形成し、該天井Ｃの側には長孔部（以下、“天井側長孔部”とする）２６ａ，…を配置しておいて、該支持具側突起部２５，…が該天井側長孔部２６ａ，…に挿通された状態で係止されるように構成しておくと良い。そのようにした場合には、前記天井側長孔部２６ａ，…における前記支持具側突起部２５，…の挿通位置を該天井側長孔部２６ａ，…に沿って変更することにより前記室内機ＡＣの向き（水平方向の向き）を調整することができ、室内の空調を効果的に行うことができる。なお、天井面Ｃａに沿うように板状の部材２６をビス(不図示)で固定しておいて、前記天井側長孔部２６ａ，…は該板状の部材２６に形成するようにすると良い。その場合、該板状の部材２６と天井面Ｃａとの間には、前記支持具側突起部２５，…の上端部分が収容されるような隙間を設けておくと良い。
【符号の説明】
【００２６】
１                  エアコン支持具
２                  水平部
２ａ                支持具側長孔部
３                  垂下部
４                  防振部材
５                  天井側突起部
１３                垂下部
２１                エアコン支持具
２５                支持具側突起部
２６ａ              天井側長孔部
ＡＣ                エアコンの室内機
Ｂ                  建物
Ｃ                  天井
【図１】
2017096547.tif 000003
【図２】
2017096547.tif 000004
【図３】
2017096547.tif 000005
【図４】
2017096547.tif 000006
【図５】
2017096547.tif 000007
【図６】
2017096547.tif 000008